(57)【特許請求の範囲】
【請求項１】
給紙部から供給されるウェブ紙が印刷部を経て折部へ至る経路を形成し、外周面にウェブ紙が巻き掛けられるローラーを備えた輪転機において、
少なくとも１つのローラーに対応させて設けられ、輪転機の停止時には当該ローラーを制止し、輪転機の運転時には当該ローラーを回転可能にする制止手段と、前記制止手段が設けられたローラーと対応して設けられ、当該ローラーに対し接近することが可能であると共に、離隔することが可能であり、少なくとも輪転機の停止時には当該ローラーに対し押付け力が働く紙押え手段とから構成されている輪転機のウェブ紙保持装置。
【請求項２】
制止手段が、ローラーの端部側に設けられた制動部と、制動部の動作を制御する制御部とを具備した請求項１に記載の輪転機のウェブ紙保持装置。
【請求項３】
制動部が流体圧作動である請求項２に記載の輪転機のウェブ紙保持装置。
【請求項４】
制動部が電磁力作動である請求項２に記載の輪転機のウェブ紙保持装置。
【請求項５】
ローラーがドラッグローラーである請求項１乃至請求項４のいずれかに記載の輪転機のウェブ紙保持装置。
【請求項６】
ローラーが案内ローラーである請求項１乃至請求項４のいずれかに記載の輪転機のウェブ紙保持装置。
【請求項７】
ローラーが案内ローラー及びドラッグローラーである請求項１乃至請求項４のいずれかに記載の輪転機のウェブ紙保持装置
【請求項８】
ドラッグローラーが上流側のウェブ紙を折部に送り込むフォーマー上方のドッラグローラーである請求項５又は請求項７に記載の輪転機のウェブ紙保持装置。
【請求項９】
ドラッグローラーが上流側のウェブ紙を折部に送り込むフォーマー上方のドッラグローラーを含むものである請求項５又は請求項７に記載の輪転機のウェブ紙保持装置。
【発明の詳細な説明】
【０００１】
【発明の属する技術分野】
この発明は、ウェブ紙に作用する引き戻し力によって、例えば、予め定められた所定の力が付与されていて走行するウェブ紙の走行張力に抗しながら移動するフローティングローラーの復帰移動やウェブ紙の自重などによって、輪転機が停止したときにウェブ紙が引き戻されないようにウェブ紙を保持する輪転機のウェブ紙保持装置に関する。
【０００２】
【従来の技術】
巻取紙を有する給紙部を備え、そこから供給されるウェブ紙に印刷する輪転機においては、印刷が行われてないとき、通常、印刷胴は、ウェブ紙から離れるようになっており、印刷部を通るウェブ紙は、印刷胴による抵抗を受けないようになっている。
【０００３】
そこで、輪転機が何らかの理由で運転を停止したとき、輪転機のローラーの外周面に接して案内されるウェブ紙が、フローティングローラーの復帰移動やウェブ紙の自重などの力によって、走行方向と反対方向に引き戻されないように、ローラーの外周面上においてウェブ紙の戻りを防止しウェブ紙を保持しようとするウェブ紙保持装置が従来から開発されており、その従来の技術におけるウェブ紙保持装置としては、例えば、特開平１０−２６４３５４号公報に開示されているものがある。
【０００４】
特開平１０−２６４３５４号公報に開示されているものは、輪転機の印刷部と折部との間に設けられたウェブ紙の保持装置であり、自由に回転し得る案内ローラーに案内されるウェブ紙が走行中に破断し又は突然の張力低下をきたし、輪転機が緊急停止したとき、フレキシブルな剛毛を有するウェブ紙保持部材を一時的に作動させ案内ローラーの外周面上の当該ウェブ紙を押さえ込むもので、本来の走行方向とは反対の方向ヘウェブ紙が移動又は滑り落ちるのを防止しウェブ紙を保持しようとする装置である。
【０００５】
ウェブ紙が走行中に破断し又は突然の張力低下をきたす異常が発生すると、印刷胴がウェブ紙から離れ印刷を中止し、輪転機が緊急に停止すべく異常停止が行われる。このとき、案内ローラーは、しばらくの間その慣性力によって回転する。そして、案内ローラーがウェブ紙の保持装置を備えている場合には、ウェブ紙保持部材が作動し、回転している案内ローラーの外周面上のウェブ紙の上面を剛毛の毛先で弾性的に押さえ付ける。
【０００６】
そして、ウェブ紙保持部材が押し付けられながら慣性力で回転している案内ローラーは、その外周面の摩擦力によってウェブ紙を下流側へ送ろうとし、上流側のウェブ紙を弛みなく張る。
即ち、その装置は、前記緊急停止時に、ウェブ紙保持部材の駆動手段の作動によってウェブ紙保持部材の剛毛を角変位させ、案内ローラーの外周面上のウェブ紙を、剛毛の毛先で弾性的に押さえ付け保持しようとするものである。
【０００７】
【発明が解決しようとする課題】
上記従来の技術としての特開平１０−２６４３５４号公報に開示されているものにおいては、輪転機が緊急に停止すべく異常停止が行われ、案内ローラーがしばらくの間その慣性力によって回転した後、やがて停止すると、印刷胴による拘束が解かれたウェブ紙の自重や給紙部のフローティングローラーの復帰移動する力が、ウェブ紙を介して案内ローラーに作用し、この力によって案内ローラーが反対方向に回り出し、破断してないウェブ紙では弛みが生じ、再印刷するときに皺が生じることがあり、一方、破断したウェブ紙ではローラーから滑り落ちてしまい、その対応作業に労力を要し、且つ再印刷の立上げに時間を要するという問題がある。
【０００８】
又、新聞輪転機では、高速化と機能の多様化に伴い、駆動装置を分散配置させた単独駆動方式の輪転機、いわゆるシャフトレス輪転機が主流となりつつあり、近年、この輪転機が盛んに採用されている。シャフトレス輪転機では、各駆動装置間を連結する伝動軸が無く、また、各駆動装置が分担する駆動系の動力源は小さくて済むので、回転部分が極めて軽く回転するようになっている。従って、シャフトレス輪転機が停止しているときには、走行経路に張り巡らされているウェブ紙を手繰り寄せると、案内ローラー、ウェブ紙を強制的に走行させるドラッグローラー及び折胴が、ウェブ紙に作用する力によって回る虞れがある。
【０００９】
そして、シャフトレス輪転機では、強制的にウェブ紙を送り出す働きをするドラツグローラーや他の回転部材が、停止中に前記した力によって回され、不都合を起こすことがある。即ち、シャフトレス輪転機が通常の運転を終了して正常に停止した後、給紙部のフローティングローラーの復帰移動によるウェブ紙の引戻しや上下方向に張られたウェブ紙の自重などによるウェブ紙を介して作用する力に耐えかねて、折部の上方にあって常時ウェブ紙を紙押えローラーで押し付けられているフォーマー上方のドラッグローラーが、反対方向に回り出し、ウェブ紙が上流側に引き戻されることがある。
【００１０】
その結果、折部に達し保持手段である針が先行端に突き刺さることによって、保持されているウェブ紙が上流側に引き戻されて、このウェブ紙が針に裂かれるような形となって針から外れることがある。そして、このままの状態で再印刷の立上げを行うと、ウェブ紙が折胴の回転に従って移動しないで、折部での紙詰まりが発生するので、その防止のための事前作業に労力と時間を要するという問題がある。
【００１１】
また、ウェブ紙を多数枚重ねて多数ページの印刷物を印刷しているときは、重ねられた多数枚のウェブ紙は、保持手段である針が先行端に刺さることによって折胴の外周面に保持されるので、場合によっては、この多数枚のウェブ紙を介しての引戻しの力が一斉に作用することによって折胴が回され、印刷胴と折胴との位相が変化し再印刷の立上げに際し印刷画像と切断線が一致しない不良印刷物を多数発生させ、また、回転する位相によっては、ウェブ紙の先端が針から抜けてしまうことがあり、上記と同様に再印刷の立上げに際し折部での紙詰りが起こらないようにするための事前作業に労力と時間を要するという課題がある。
【００１２】
従って、既述のようにウェブ紙の保持装置が必要となるが、案内ローラーの外周面上のウェブ紙を、剛毛の毛先で弾性的に押さえ付け保持しようするだけの上記の従来の技術のウェブ紙保持装置では、容易に理解できるようにその問題は解消されない。
【００１３】
この発明は、上記従来の技術が抱えていた問題を一挙に解消しようとするもので、輪転機の印刷中に生じるウェブ紙の破断又は突然の張力低下による緊急の異常停止、及び輪転機の通常運転の終了による正常停止において、ウェブ紙が走行方向に対して反対方向に引き戻されないようにローラーの外周面に接するウェブ紙を当該ローラーの外周面に、紙押えローラーで押え、且つそのローラーの回転を制止し、ローラーの外周面上にあるウェブ紙を確実に保持することによって、ウェブ紙の弛み、ローラーからの滑り落ち、折胴の針からの抜けなどを防止し、輪転機の運転立上げに要する労力を軽減させ、且つ作業時問を短縮させ得る輪転機のウェブ紙保持装置を提供することを目的とするものである。
【００１４】
【課題を解決するための手段】
この発明の輪転機のウェブ紙保持装置は、給紙部から供給されるウェブ紙が印刷部を経て折部へ至る経路を形成し、外周面にウェブ紙が巻き掛けられるローラーを備えた輪転機において、少なくとも１つのローラーに対応させて設けられており、輪転機の停止時には当該ローラーを制止し、輪転機の運転時には当該ローラーを回転可能にする制止手段と、制止手段が設けられたローラーと対応して設けられ、当該ローラーに対し接近することが可能であると共に離隔することが可能であり、少なくとも輪転機の停止時に当該ローラーに対し押付け力が働く紙押え手段とから構成されている。
【００１５】
そして、制止手段は、ローラーの端部側に設けられた流体圧作動又は電磁力作動の制動部と、制動部の動作を制御する制御部とを具備している。
ウェブ紙保持装置が設けられるローラーとしては、上流側のウェブ紙を折部に送り込むフォーマー上方のドッラグローラーを含むドラッグローラー及び案内ローラーの各ローラーのいずれでもよく、その適宜の組合せでもよい。
【００１６】
輪転機の停止時には、印刷部を経て折部へ至る経路を形成するドッラグローラー及び案内ローラーの適宜のローラーの回転が制止され、且つその回転が制止されたローラーに紙押え手段によりウェブ紙が押し付けられる。従って、ウェブ紙に働く重力や張力によりローラーが回転したり、ウェブ紙がローラーの外周面上を滑ったりすることがないので、ウェブ紙は移動することがない。
【００１７】
【発明の実施の形態】
次に、この発明の実施の形態における輪転機のウェブ紙保持装置を図面を参照して説明する。
この発明の実施の形態におけるウェブ紙保持装置が適用される輪転機として、例えば図９及び図１０には、新聞用シャフトレスオフセット輪転機（以下、輪転機という）が示されている。
【００１８】
図９及び図１０に示すように、輪転機Ｐは、夫々多段の印刷胴Ｔを持つ複数基の印刷部Ｑ、印刷部Ｑ毎の図示しない給紙部及び複数基の折胴Ｕを備えた折部Ｒを具備しており、フローティングローラーを備えた給紙部から印刷部Ｑの印刷胴Ｔを経由して折部Ｒに至るウェブ紙Ｗの走行経路が、ウェブ紙Ｗを案内する案内ローラー（第１案内ローラー２、第２案内ローラー３・・・）、ウェブ紙Ｗを案内し走行させるドラッグローラー（第１ドラッグローラー４０、第２ドラッグローラー４１、第３ドラッグローラー４２・・・）、及びターンバーなどのウェブ紙案内部材によって形成されている。
【００１９】
そして、輪転機Ｐが運転されることにより、フローティングローラーを備えた図示しない給紙部から供給されるウェブ紙Ｗ、・・・は、図９に示すように印刷部Ｑ、・・・を経て印刷され、経路途上にある各案内ローラーやドラッグローラーを経て走行する。
【００２０】
通常、図１０に示すように、走行する幅の広いウェブ紙Ｗ、・・・は、折部Ｒの上流で図示しないスリッターによって走行方向に切り裂かれ、一方が他方に重ねられて１つのフォーマーＳに導かれ、又は、２つ並んだフォーマーＳ、Ｓの幅に対応するように図示しないスリッターによって走行方向に切り裂かれ、左右に分かれたフォーマーＳ、Ｓに導かれて折部Ｒへ案内される。そして、折部Ｒへ案内されたウェブ紙Ｗ、・・・は、折胴Ｕの針Ｕ１に刺されながら折畳み処理され印刷物として排出される。
【００２１】
この発明の実施の形態での輪転機におけるドラッグローラーを備えるドラッグローラー装置には、例えば、図１乃至図３に示すような２本１対のドラッグローラー（第１ドラッグローラー４０、第２ドラッグローラー４１）を備えたローラー装置（第１ドラッグローラー装置４）や図４及び図５に示すような単一のドラッグローラー（第３ドラッグローラー４２）を備えたローラー装置（第２ドラッグローラー装置４ａ）がある。
【００２２】
第１ドラッグローラー装置４は、ウェブ紙Ｗを確実に引く場合に用いられ、例えば、特に、折部ＲのフォーマーＳの直ぐの上流側に設けられており、複数枚重ね合わされたウェブ紙Ｗを確実に引くために、第１ドラッグローラー４０及び第２ドラッグローラー４１に対向する２台１対の紙押え手段（第１紙押え手段５、第２紙押え手段６）を備えている。
【００２３】
各印刷部Ｑで印刷されたウェブ紙Ｗが複数枚重ね合わされたものの上下両面の一面に上流側の第１ドラッグローラー４０が、他面に下流側の第２ドラッグローラー４１が夫々接触するようになっており、両ドラッグローラー共に、輪転機の運転中には、版胴の周速よりも適宜速い周速で回転駆動されるようになっている。
【００２４】
第１ドラッグローラー装置４（片側のみ図示）においては、図１及び図１０に示すように、第１ドラッグローラー４０と一体となった軸４０ａ及び第２ドラッグローラー４１と一体となった軸４１ａは、両端が対向したフレームＦ、Ｆに軸受４３；４４を介して回転可能に支持され、一方の軸端部４０ｂ；４１ｂがフレームＦから突出している。そして、その軸端部４０ｂ；４１ｂには、歯付きプーリー４５；４５ａが取り付けられている。
【００２５】
図２に示すように、モーター４６がフレームＦの外側に固定されたブラケット４９に独立して取り付けられており、モーター４６の出力軸に取り付けられた歯付きプーリー４６ａと、第１ドラッグローラー４０及び第２ドラッグローラー４１の歯付きプーリー４５；４５ａと歯付きベルト４７の走行経路を形成するようにフレームＦの適宜の個所に回転可能に設けられたガイドプーリー４８、・・・とに歯付きベルト４７が巻き掛けられ、ベルト伝動機構が構成されている。
【００２６】
従って、輪転機の運転中には、モーター４６の駆動により、ベルト伝動機構を介して第１ドラッグローラー４０及び第２ドラッグローラー４１は互に反対方向に（図３において、第１ドラッグローラー４０は時計回りに、第２ドラッグローラー４１は反時計回りに）回転するようになっている。
【００２７】
図３に示すように、第１紙押え手段５における２個１対の紙押えローラー６１、６１ａ及び第２紙押え手段６における２個１対の紙押えローラー７１、７１ａは、回転可能に、且つ第１ドラッグローラー４０及び第２ドラッグローラー４１の外周面方向の異なる位置で、且つ第１ドラッグローラー４０及び第び２ドラッグローラー４１の各外周面に巻き付けられるウェブ紙Ｗに対向する位置において、第１ドラッグローラー４０及び第２ドラッグローラー４１の外周面に対し、接近することが可能であると共に、離隔することが可能に設けられている。
【００２８】
第１紙押え手段５及び第２紙押え手段６は、走行するウェブ紙Ｗの幅方向の適宜な位置にそれぞれ１つ、又は、それぞれ前記幅方向に適宜な間隔をもって複数個設けられている。
図示の例では、少なくとも２個所、即ちウェブ紙Ｗの両側の縁部に対向する位置に設けられている。
【００２９】
そして、印刷部Ｑから送り出され、重ね合された複数枚のウェブ紙Ｗは、第１ドラッグローラー４０の外周面に所定角度だけ巻き付けられると共に、両側の縁部が紙押えローラー６１、６１ａで第１ドラッグローラー４０の外周面に押し付けられて、第１ドラッグローラー４０の回転駆動により一斉に引かれて、次の第２ドラッグローラー４１に向って送り出されるようになっている。
【００３０】
更に、重ね合された複数枚のウェブ紙Ｗは、第２ドラッグローラー４１の外周面に所定角度だけ巻き付けられると共に、両側の縁部が紙押えローラー７１、７１ａで第２ドラッグローラー４１の外周面に押し付けられて、第２ドラッグローラー４１の回転駆動により一斉に引かれて、折部ＲのフォーマーＳに向って送り出されるようになっている。そして、フォーマーＳを通過することにより長手方向の折りが施されたウェブ紙Ｗは、折部Ｒへ送り出されるようになっている。
【００３１】
第１ドラッグローラー４０及び第２ドラッグローラー４１の外周面に巻き付けられるウェブ紙Ｗの両側の縁部に対向する位置の夫々に設けられた一対の紙押えローラー６１、６１ａ及び紙押えローラー７１、７１ａは、ウェブ紙Ｗの両側で同一であるので、ウェブ紙Ｗの一方の縁部に対向する位置に設けられた紙押えローラー６１、６１ａ；７１、７１ａについて説明する。
【００３２】
図３に示すように、両側のフレームＦ、Ｆ間に平行に架設されたステーＦ１、Ｆ２には、適宜の形状のブラケットが取り付けられている。
例えば、第１ドラッグローラー４０側においては、叉状のブラケット６６の基部がステーＦ１に取り付けられており、ブラケット６６の一方の先端部には更にブラケット６６ａの基部が取り付けられている。そして、第２ドラッグローラー４１側においては、第１ドラッグローラー４０側とは設計的に異なる適宜な形状の一体のブラケット７６の基部がステーＦ２に取り付けられている。
【００３３】
ブラケット６６の他方の先端部及びブラケット６６ａの夫々の先端部及びブラケット７６の先端部及び中間部には、直状腕や屈曲腕等の適宜の形状の揺動腕６３、６４；７３、７４の中間部が夫々支持軸６５、６５ａ；７５、７５ａにより角変位可能に支持されている。
【００３４】
揺動腕６３、６４の互に対向する側はローラー腕６３ａ、６４ａとなり、他側はシリンダー腕６３ｂ、６４ｂとなり、揺動腕７３、７４の互に対向する側はローラー腕７３ａ、７４ａとなり、他側はシリンダー腕７３ｂ、７４ｂとなっている。
ローラー腕６３ａ、６４ａ；７３ａ、７４ａの夫々の先端部には、紙押えローラー６１、６１ａ；７１、７１ａがピン６２、６２ａ；７２、７２ａにより角変位可能に支持されている。
【００３５】
ブラケット６６、７６の夫々の適宜の部位には、一対の流体圧シリンダー７０、７０ａ；８０、８０ａの夫々のシリンダ部の末端が角変位可能にピン６７、６７ａ；７７、７７ａにより結合されており、流体圧シリンダー７０、７０ａ；８０、８０ａのピストン棒の先端部６８、６８ａ；７８、７８ａは、揺動腕６３、６４；７３、７４のシリンダー腕６３ｂ、６４ｂ；７３ｂ、７４ｂの先端部にピン６９、６９ａ；７９、７９ａを介して角変位可能に結合されている。
【００３６】
紙押えローラー６１、６１ａ；７１、７１ａ、揺動腕６３、６４；７３、７４及び流体圧シリンダー７０、７０ａ；８０、８０ａの両端のピン結合の夫々の軸中心線は、ドラッグローラー４０、４１の回転軸中心線と平行であり、流体圧シリンダー７０、７０ａ；８０、８０ａのシリンダー部には、図示しない流体圧回路が接続され、圧力が適宜調節された圧力流体が供給又は排出されるようになっている。
【００３７】
そして、圧力が適宜調節された圧力流体の供給又は排出による流体圧シリンダー７０、７０ａ；８０、８０ａの作動におけるピストン棒の伸長又は退縮により、揺動腕６３、６４は、各支持軸６５、６５ａを支点として互に反対方向に角変位するようになつており、揺動腕７３、７４は、各支持軸７５、７５ａを支点として互に反対方向に角変位するようになつている。
【００３８】
即ち、図３において、ピストン棒の伸長により、揺動腕６３；７４は時計回りに、揺動腕６４；７３は反時計回りに、夫々角変位し、紙押えローラー６１、６１ａが第１ドラッグローラー４０の外周面のウェブ紙Ｗから、又、紙押えローラー７１ａが第２ドラッグローラー４１の外周面のウェブ紙Ｗから夫々離れるようになっており、他方、紙押えローラー７１が第２ドラッグローラー４１の外周面にウェブ紙Ｗを押し付けるようになっている。
【００３９】
又、ピストン棒の退縮により、揺動腕６３；７４は反時計回りに、揺動腕６４；７３は時計回りに、夫々角変位し、紙押えローラー６１、６１ａが第１ドラッグローラー４０の外周面に、又、紙押えローラー７１ａが第２ドラッグローラー４１の外周面に、夫々ウェブ紙Ｗを押し付けるようになっており、他方、紙押えローラー７１が第２ドラッグローラー４１の外周面のウェブ紙Ｗから離れるようになっている。
【００４０】
そして、輪転機の運転中には、紙押えローラー６１、６１ａが第１ドラッグローラー４０の外周面に、紙押えローラー７１、７１ａが第２ドラッグローラー４１の外周面に夫々ウェブ紙Ｗを押し付けるように、流体圧シリンダー７０、７０ａ；８０、８０ａが作動するようになっている。
【００４１】
次に、第２ドラッグローラー装置４ａは、図４、図５及び図９に示すようにウェブ紙Ｗの走行経路中において各印刷部Ｑの下流側の適宜の個所に設けられており、第３ドラッグローラー４２が各印刷部Ｑで印刷されたウェブ紙Ｗの表裏面の一面に接触して、輪転機の運転中には、版胴の周速よりも適宜速い周速で回転駆動されるようになっている。
【００４２】
第２ドラッグローラー装置４ａ（片側のみ図示）においては、図４に示すように、第３ドラッグローラー４２と一体となった軸４２ａは、両端が対向したフレームＦ、Ｆに軸受４３ａを介して回転可能に支持され、一方の軸端部４２ｂがフレームＦから突出している。そして、その軸端部４２ｂには、歯付きプーリー４５ｂが取り付けられている。
【００４３】
図示しない独立して設けられたモーターの出力軸に取り付けられた歯付きプーリーとドラッグローラー４２の歯付きプーリー４５ｂとに歯付きベルト４７ａが巻き掛けられ、ベルト伝動機構が構成されている。
従って、輪転機の運転中には、モーターの駆動により、ベルト伝動機構を介して第３ドラッグローラー４２は（図５において反時計回りに）回転し、各印刷部Ｑから送り出されたウェブ紙Ｗは、走行経路中の各第３ドラッグローラー４２の外周面に所定角度だけ巻き付けられ、第３ドラッグローラー４２の回転駆動により一斉に引かれて、重ね合わされて第１ドラッグローラー装置４に向けて送り出されるようになっている。
【００４４】
次に、第１案内ローラー２（図６において片側のみ図示）は、ローラー本体２１及びその両端部から夫々突出している軸２２からなり、軸２２の各軸端部２２ａは、軸受２３を介してフレームＦに取り付けられたハウジング２４によって支持され、走行するウェブ紙Ｗを案内することによって回転するように構成されている。
【００４５】
第２案内ローラー３（図７において片側のみ図示）は、ローラー本体３１及びローラー本体３１を貫通して挿入されローラー本体３１の両端部から突出している軸３２からなり、軸３２は、各軸端部３２ａがフレームＦに設けられた支持部材３４によって取り付けられ、ローラー本体３１の両端部を軸受３３を介して支持している。そして、第２案内ローラー３は、第１案内ローラー２と同様に走行するウェブ紙Ｗを案内することによって回転するように構成されている。
【００４６】
輪転機のウェブ紙保持装置１、・・は、第１ドラッグローラー装置４、第２ドラッグローラー装置４ａ・・・、第１案内ローラー２・・・、第２案内ローラー３・・・に適宜備えられる。
【００４７】
ウェブ紙保持装置１には、次の４種の実施の形態があり、必要に応じて、それらの適宜の組合せが用いられる。
実施の第１形態におけるウェブ紙保持装置１は、上記の第１ドラッグローラー装置４のようなドラッグローラー装置に設けられた形態であり、第１ドラッグローラー４０及び第２ドラッグローラー４１の回転を輪転機Ｐの停止時には制止し、運転時には回転を可能とさせる第１制止手段９と、第１ドラッグローラー４０及び第２ドラッグローラー４１の外周面にウェブ紙Ｗを押し付ける第１紙押え手段５及び第２紙押え手段６とで構成されている（図１、図２及び図３参照）。
【００４８】
実施の第２形態におけるウェブ紙保持装置１は、上記の第２ドラッグローラー装置４ａのようなドラッグローラー装置に設けられた形態であり、第３ドラッグローラー４２の回転を輪転機Ｐの停止時には制止し、運転時には回転を可能とする第２制止手段１００と、輪転機Ｐの少なくとも停止時には第３ドラッグローラー４２の外周面にウェブ紙Ｗを押し付ける第３紙押え手段８とで構成されている（図４、図５参照）。
【００４９】
実施の第３形態におけるウェブ紙保持装置１は、第１案内ローラー２に設けられた形態であり、第１案内ローラー２の回転を輪転機Ｐの停止時には制止し、運転時には回転を可能とする第３制止手段１１０と、輪転機Ｐの停止時には第１案内ローラー２の外周面にウェブ紙Ｗを押し付ける第３紙押え手段８とで構成されている（図６、図８参照）。
【００５０】
実施の第４形態におけるウェブ紙保持装置１は、第２案内ローラー３に設けられた形態であり、第２案内ローラー３の回転を輪転機Ｐの停止時には制止し、運転時には回転を可能とする第４制止手段１２０と、輪転機Ｐの停止時には第２案内ローラー３の外周面にウェブ紙Ｗを押し付ける第３紙押え手段８とで構成されている（図７、図８参照）。
実施の第２形態、第３形態及び第４形態におけるウェブ紙保持装置１の紙押え手段は実質的に同じもので、図５及び図８に示すような第３紙押え手段８である。
【００５１】
この発明の実施の第１形態におけるウェブ紙保持装置１について説明する。
実施の第１形態におけるウェブ紙保持装置１の紙押え手段は、重ね合された複数枚のウェブ紙Ｗを確実に引き出し折部Ｒに送るために、輪転機の運転中にも第１ドラッグローラー４０及び第２ドラッグローラー４１の外周面にウェブ紙Ｗを押し付けたままの既述の第１紙押え手段５及び第２紙押え手段６が利用される。
【００５２】
そして、第１制止手段９は、図１、図２に示すように、一方のドラッグローラーの軸の片方の軸端部、図示の例では、第１ドラッグローラー４０の軸４０ａの歯付きプーリー４５側の軸端部４０ｂに取り付けられた第１ブレーキディスク９１と、第１ブレーキディスク９１の回転を圧力流体の働きによって制止させる第１制動部９３と、圧力流体の経路を変更させる電磁弁９７を切り替えて、第１制動部９３の動作を制御する第１制御部９６とから構成されている。
【００５３】
第１ブレーキディスク９１は、円板状をなし、第１ドラッグローラー４０の軸端部４０ｂに取り付けられた歯付きプーリー４５の外側面に一体に取り付けられ、第１ドラッグローラー４０と共に回転可能に構成されている。
【００５４】
第１制動部９３は、円板状の第１ブレーキディスク９１の両側制動面に向って互に対向し、開口側を第１ブレーキディスク９１の制動面に近接するように、フレームＦにブラケット９４を介して取り付けられたシリンダー部９３ａ、９３ａと、第１ブレーキディスク９１の制動面を両面から挟むようにして接触することが可能であると共に制動面から離れることが可能にシリンダー部９３ａ、９３ａに移動可能に挿入された制動部材９５、９５とから構成されている。
【００５５】
第１制御部９６は、第１制動部９３のシリンダー部９３ａ、９３ａに図示しない圧力流体供給源及び排出口を接続する管路９８と、管路９８中に介在して図示しない輪転機制御装置から入力される運転信号９６ａ及び制止信号９６ｂによって作動する電磁弁９７とから構成され、電磁弁９７は、運転信号９６ａが一方のソレノイド９７ａに入力されるとシリンダー部９３ａ、９３ａに圧力流体供給源を連絡させ（図１参照）、制止信号９６ｂが他方のソレノイド９７ｂに入力されるとシリンダー部９３ａ、９３ａに排出口を連絡させるように流路を切り換えるようになっている。
【００５６】
シリンダー部９３ａ、９３ａに圧力流体供給源が連絡した場合には、シリンダー部９３ａ、９３ａに供給された圧力流体の圧力により、制動部材９５、９５は第１ブレーキディスク９１の制動面に対向して押し付けられ、第１ブレーキディスク９１に制動を加える。又、シリンダー部９３ａ、９３ａに排出口が連絡した場合には、図示しない圧縮ばねによって制動部材９５、９５が第１ブレーキディスク９１の制動面から離されると共に、シリンダー部９３ａ、９３ａから圧力流体が排出口に排出され、制動部材９５、９５による第１ブレーキディスク９１の制動面に対する押付けが、即ち第１ブレーキディスク９１に対する制動が解除される。
【００５７】
上記の実施の第１形態における輪転機のウェブ紙保持装置１の作用について説明する。
ウェブ紙保持装置１においては、停止していた輪転機Ｐが運転状態に入ると、第１制止手段９では、図１に示す第１制止手段９の第１制御部９６に図示しない輪転機制御装置から運転信号９６ａが入力され、ソレノイド９７ａが作動し、直ちに電磁弁９７は、第１制動部９３のシリンダー部９３ａへの管路９８が図示しない排出口に連絡するよう圧力流体の流路を切り替える。
【００５８】
すると、制動部材９５、９５に作用していた流体圧力が解除され、それによって、第１ブレーキディスク９１に制動を掛けていた制動部材９５、９５が、図示しない圧縮ばねの力で第１ブレーキディスク９１の制動面から離れると共に、シリンダー部９３ａ、９３ａから圧力流体が排出口に排出され、第１ブレーキディスク９１に対する制動が解除される。
【００５９】
そして、図２、図３及び図１０に示すように、輪転機Ｐの運転と共に印刷胴Ｔ、Ｔ、・・・の回転に同調してモーター４６が回転する。すると、モーター４６の出力軸に取り付けられている歯付きプーリー４６ａの回転が、歯付きベルト４７を介して第１のドラッグローラー４０の歯付きプーリー４５及び第２ドラッグローラー４１の歯付きプーリー４５ａに伝えられる。そして、第１ドラッグローラー４０が図３で時計回りに回転すると共に第２ドラッグローラー４１が図３で反時計回りに回転する。
【００６０】
輪転機Ｐの運転中には、流体圧シリンダー７０、７０ａ；８０、８０ａのシリンダー部には、図示しない流体圧回路を介して圧力流体が一方に供給されると共に他方から排出された状態になる。その流体圧シリンダー７０、７０ａ；８０、８０ａの作動状態、即ち、流体圧シリンダー７０、７０ａ；８０ａの夫々のピストン棒が退縮し、流体圧シリンダー８０のピストン棒が伸長した状態により、揺動腕６３、７３、７４が各支持軸６５、７４、７５を支点として反時計回りに角変位し、揺動腕６４が支持軸６５ａを支点として時計回りに角変位した状態となる。
【００６１】
その結果、紙押えローラー６１、６１ａが第１ドラッグローラー４０の外周面に、紙押えローラー７１、７１ａが第２ドラッグローラー４０の外周面に夫々にウェブ紙Ｗを押し付けている。
かくして、ウェブ紙Ｗ、・・・は、回転する第１ドラッグローラー４０及び第２ドラッグローラー４１の外周面とそれぞれに対応する紙押えローラー６１、６１ａ、７１、７１ａとの間に挟まれ下流、例えば折部Ｒに向って送り出されて走行する。
【００６２】
次に、輪転機Ｐが正常に運転を終えて停止すると図示しないモーターは停止する。又、印刷中に俄に紙切れを起こすと前記モーターは緊急停止すべく減速を開始する。すると、モーター４６が停止すると共に、第１制止手段９の第１制御部９６に輪転機制御装置から制止信号９６ｂが入力され、ソレノイド９７ｂが作動し、直ちに電磁弁９７は第１制動部９３のシリンダー部９３ａ、９３ａへの管路９８に図示しない圧力流体供給源が連絡するよう圧力流体の流路を切り替える。
【００６３】
そこで、シリンダー部９３ａ、９３ａに圧力流体が供給され、制動部材９５、９５に流体圧力が作用する。それによって、第１ブレーキディスク９１の制動面から離れていた制動部材９５、９５が、図示しない圧縮ばねの力に抗して第１ブレーキディスク９１の制動面を両側から押え込み、第１ブレーキディスク９１に制動を加え、第１ブレーキディスク９１の回転を制止する。
従って、第１ドラッグローラー４０及びこの第１ドラッグローラー４０と歯付きベルト４７を介して一体で回転するよう連結された第２ドラッグローラー４１が一斉に停止する。
【００６４】
なお、実施の第１形態において、第１紙押え手段５及び第２紙押え手段６の夫々に対向する紙押えローラー６１，６１ａ；７１，７１ａは、第１ドラッグローラー４０及び第２ドラッグローラー４１と共同して、ウェブ紙Ｗを下流側へ送り出すよう作用するために、通常、これらのドラッグローラー４０、４１の外周面に、輪転機Ｐの運転又は停止に拘らず常時接触するようにされている。
従って、この場合にも、流体圧シリンダー７０、７０ａ；８０、８０ａに対する圧力流体の供給又は排出の状態には変化がなく、紙押えローラー６１、６１ａが停止固定された第１ドラッグローラー４０の外周面に、紙押えローラー７１、７１ａが第２ドラッグローラー４０の外周面にウェブ紙Ｗを押し付けている状態は維持される。
かくして、ウェブ紙Ｗは、移動が制止され動き得ないように保持される。
【００６５】
この発明の実施の第２形態におけるウェブ紙保持装置１について説明する。
実施の第２形態におけるウェブ紙保持装置１の第３紙押え手段８は、図４及び図５に示すように、紙押えローラー８１は、回転可能に、且つドラッグローラー４２の外周面に巻き付けられるウェブ紙Ｗの両側の縁部に対向する位置において、紙押えローラー８１の外周面の両端近傍部の夫々に対し、接触することが可能であると共に制動面から離れることが可能に設けられている。
両側のフレームＦ、Ｆ間に平行に架設されたステーＦ３には、適宜の形状のブラケット８６が取り付けられている。
【００６６】
ブラケット８６の先端部には、直状腕や屈曲腕等の適宜の形状の揺動腕８３の中間部が支持軸８５により角変位可能に支持されており、揺動腕８３の先端側はローラー腕８３ａとなり、基端側はシリンダー腕８３ｂとなっている。
ローラー腕８３ａの先端部には、紙押えローラー８１がピン８２により回転可能に支持されている。
【００６７】
ブラケット８６の適宜の中間部位には、流体圧シリンダー８４のシリンダ部の末端が角変位可能にピン８７により結合されており、流体圧シリンダー８４のピストン棒の先端部８８は、揺動腕８３のシリンダー腕８３ｂの先端部にピン８９を介して角変位可能に結合されている。
【００６８】
紙押えローラー８１、揺動腕８３及び流体圧シリンダー８４の両端のピン結合の夫々の軸中心線は、ドラッグローラー４２の回転軸中心線と平行であり、流体圧シリンダー８４のシリンダー部には、図４に示すような第２制御部１０６を介して図示しない圧力流体供給源及び排出口に接続され、圧力が適宜調節された圧力流体が供給又は排出されるようになっている。
【００６９】
そして、圧力が適宜調節された圧力流体の供給又は排出による流体圧シリンダー８４の作動におけるピストン棒の伸長又は退縮により、揺動腕８３は、支持軸８５を支点として角変位するようになつている。即ち、図５において、通常、輪転機Ｐの運転中には、流体圧シリンダー８４のピストン棒の伸長により、揺動腕８３は時計回りに角変位し、紙押えローラー８１が第３ドラッグローラー４２の外周面から離れた位置になり、輪転機の停止中のウェブ紙保持中には、流体圧シリンダー８４のピストン棒の退縮により、揺動腕８３は反時計回りに角変位し、紙押えローラー８１が第３ドラッグローラー４２の外周面にウェブ紙Ｗを押し付けるように、流体圧シリンダー８４が作動するようになっている。
【００７０】
また、第３紙押え手段８は、走行するウェブ紙Ｗの幅方向の適宜な位置に１つ、又は、前記幅方向に適宜な間隔をもって２つ以上の、紙押えローラー８１、・・が設けられる。
図示の例では、少なくとも２個所、即ちウェブ紙Ｗの両側の縁部に対向する位置に設けられている。
【００７１】
実施の第２形態におけるウェブ紙保持装置１の第２制止手段１００は、図４及び図５に示すように、第３ドラッグローラー４２の歯付きプーリー４５ｂの外側面にボルトで一体的に取付けられた第２ブレーキディスク１０１と、第２ブレーキディスク１０１の回転を圧力流体の働きによって制止させる第２制動部１０３と、圧力流体の経路を変更させる電磁弁１０７を切り替えて、第２制動部１０３の動作を制御する第２制御部１０６とから構成されている。
【００７２】
この発明の実施の第３形態及び第４形態におけるウェブ紙保持装置１について説明する。
実施の第３形態及び第４形態におけるウェブ紙保持装置１の紙押え手段は、図８に示すように実施の第２形態におけるウェブ紙保持装置１の第３紙押え手段８（図５参照）と実質的に同じである。
【００７３】
実施の第３形態におけるウェブ紙保持装置１の第３制止手段１１０は、図６及び図８に示すように、第１案内ローラー２（片側のみ図示）の一方の軸２２に取り付けられた円板状の第３ブレーキディスク１１１と、第３ブレーキディスク１１１の回転を圧力流体の働きによって制止させる第３制動部１１３と、圧力流体の流路を変更させる電磁弁１１７を切り替えて、第３制動部１１３の動作を制御する第３制御部１１６とから構成されている。
【００７４】
実施の第４形態におけるウェブ紙保持装置１の第４制止手段１２０は、図７及び図８に示すように、第２案内ローラー３（片側のみ図示）のローラー本体３１の端面にボルトで一体的に取付けられた第４ブレーキディスク１２１と、第４ブレーキディスク１２１の回転を圧力流体の働きによって制止させる第４制動部１２３と、圧力流体の経路を変更させる電磁弁１２７を切り替えて、第４制動部１２３の動作を制御する第４制御部１２６とから構成されている。
【００７５】
上記の第２制動部１０３、第３制動部１１３及び第４制動部１２３は、第１ドラッグローラー装置４の第１制止手段９における第１制動部９３（図１参照）と実質的に同じである（図４、図６及び図７参照）。
即ち、円板状の第２、３、４ブレーキディスク１０１；１１１；１２１の両側制動面に向って互に対向し、開口側を各ブレーキディスクの制動面に近接するように、フレームＦにブラケット１０４、１１４、１２４を介して取り付けられたシリンダー部１０３ａ、１０３ａ；１１３ａ、１１３ａ；１２３ａ、１２３ａと、第２、３、４ブレーキディスク１０１；１１１；１２１の制動面を両側から挟むようにして接触することが可能であると共に制動面から離れることが可能に該シリンダー部に移動可能に挿入された制動部材１０５、１０５；１１５、１１５；１２５、１２５とから構成されている。
【００７６】
第２制御部１０６、第３制御部１１６及び第４制御部１２６は、共に実質的に同じである（図４、図６及び図７参照）。
それらの制御部は、第３紙押え手段８の流体圧シリンダー８４のシリンダー部及び各制動部１０３；１１３；１２３のシリンダー部１０３ａ、１０３ａ；１１３ａ、１１３ａ；１２３ａ、１２３ａに図示しない圧力流体供給源及び排出口を接続する管路９８と、管路１０８；１１８；１２８中に介在して図示しない輪転機制御装置から入力される運転信号１０６ａ；１１６ａ；１２６ａ又は制止信号１０６ｂ；１１６ｂ；１２６ｂによって作動する電磁弁１０７；１１７；１２７とから構成され、電磁弁１０７；１１７；１２７は、次のように運転信号又は制止信号により圧力流体の流路を切り換えるようになっている。
【００７７】
電磁弁１０７；１１７；１２７の一方のソレノイド１０７ａ；１１７ａ；１２７ａに運転信号１０６ａ；１１６ａ；１２６ａが入力されると、シリンダー部１０３ａ、１０３ａ；１１３ａ、１１３ａ；１２３ａ、１２３ａに圧力流体供給源を連絡させると共に、流体圧シリンダー８４のシリンダー部の一方（ピストン棒側）に圧力流体供給源を連絡させ、他方（ピストン棒反対側）に排出口を連絡させる（図４、６、７参照）。
【００７８】
又、電磁弁１０７；１１７；１２７の他方のソレノイド１０７ｂ；１１７ｂ；１２７ｂに制止信号１０６ｂ；１１６ｂ；１２６ｂが入力されると、シリンダー部１０３ａ、１０３ａ；１１３ａ、１１３ａ；１２３ａ、１２３ａに排出口を連絡させると共に、流体圧シリンダー８４のシリンダー部の一方（ピストン棒反対側）に圧力流体供給源を連絡させ、他方（ピストン棒側）に排出口を連絡させる。
【００７９】
即ち、次のような作動が行われるようになっている。
シリンダー部１０３ａ、１０３ａ；１１３ａ、１１３ａ；１２３ａ、１２３ａに圧力流体供給源が連絡した場合には、該シリンダー部に供給された圧力流体の圧力により、制動部材１０５、１０５；１１５、１１５；１２５、１２５は第２ブレーキディスク１０１、第３ブレーキディスク１１１及び第４ブレーキディスク１２１の制動面に対向して押し付けられ、該ブレーキディスクに制動を加える。
【００８０】
又、シリンダー部１０３ａ、１０３ａ；１１３ａ、１１３ａ；１２３ａ、１２３ａが排出口に連絡した場合には、図示しない圧縮ばねによって制御部材１０５、１０５；１１５、１１５；１２５、１２５が第２ブレーキディスク１０１、第３ブレーキディスク１１１及び第４ブレーキディスク１２１の制動面から離されると共に、該シリンダー部から圧力流体が排出口に排出され、制動部材１０５、１０５；１１５、１１５；１２５、１２５による第２ブレーキディスク１０１、第３ブレーキディスク１１１及び第４ブレーキディスク１２１の制動面に対する押付け、即ち該ブレーキディスクに対する制動が解除される。
【００８１】
又、流体圧シリンダー８４のシリンダ部の一方（ピストン棒側）に圧力流体供給源が連絡し、他方（ピストン棒反対側）に排出口が連絡した場合には、紙押えローラー８１が第３ドラッグローラー４２、第１案内ローラー２及び第２案内ローラー３の外周面にウェブ紙Ｗを押し付け、流体圧シリンダー８４のシリンダ部の他方（ピストン棒反対側）に圧力流体供給源が連絡し、一方（ピストン棒側）に排出口が連絡した場合には、紙押えローラー８１が第３ドラッグローラー４２、第１案内ローラー２及び第２案内ローラー３の外周面から離れ、ウェブ紙Ｗを解放する。
【００８２】
この発明の実施の第２形態におけるウェブ紙保持装置１の作用を説明する。
ウェブ紙保持装置１においては、停止していた輪転機Ｐが運転状態に入ると、第２制止手段１００では、図４に示す第２制御部１０６に輪転機制御装置から運転信号１０６ａが入力され、ソレノイド１０７ａが作動し、直ちに電磁弁１０７は、第２制止手段１００における第２制動部１０３のシリンダー部１０３ａ，１０３ａ及び第３紙押え手段８における流体圧シリンダー８４に接続された管路１０８に対する圧力流体の流路を切り替える。
【００８３】
即ち、第２制動部１０３のシリンダー部１０３ａ，１０３ａにおいては、排出口に連絡するように圧力流体の流路が切り替わり、第３紙押え手段８の流体圧シリンダー８４においては、シリンダーの一方が図示しない圧力流体供給源に連絡し、他方が排出口に連絡するように圧力流体の流路が切り替わる。
【００８４】
すると、制動部材１０５、１０５に作用していた流体圧力が解除され、それによって、第２ブレーキディスク１０１に制動を掛けていた制動部材１０５、１０５が、図示しない圧縮ばねの力で第２ブレーキディスク１０１の制動面から離れると共にシリンダー部１０３ａ、１０３ａから圧力流体が排出口に排出され、第２ブレーキディスク１０１に対する制動が解除され、第３ドラッグローラー４２は回転可能となる。
【００８５】
更に、第３紙押え手段８の流体圧シリンダー８４のシリンダー部には、管路１０８を介して圧力流体が一方に供給されると共に、他方から排出される。それにより流体圧シリンダー８４のピストン棒が伸長し、揺動腕８３が支持軸８５を支点として時計回りに角変位する。その結果、紙押えローラー８１が第３ドラッグローラー４２の周面上のウェブ紙Ｗを解放する。
【００８６】
そして、輪転機Ｐの運転と共に印刷胴Ｔ、Ｔ、・・・（図９参照）の回転に同調して、第３ドラッグローラー４２、・・を回転させる図示しないモーターが回転する。すると実施に第１形態と同じように、図示しないモーターの回転が歯付きベルト４７ａを介して第３ドラッグローラー４２の軸端部４２ｂ取り付けられた歯付きプーリー４５ｂに伝えられ、第３ドラッグローラー４２が回転する。そして、印刷されたウェブ紙Ｗ、・・は、回転する第３ドラッグローラー４２により折部Ｒに向って送り出されて走行する。
【００８７】
輪転機Ｐが正常に運転を終えて停止すると図示しないモーターは停止する。また、印刷中に俄に紙切れを起こすと前記モーターは緊急停止すべく減速を開始する。前記モーターが正常時に停止すると共に、又は緊急停止に入ると共に、第２制御部１０６に輪転機制御装置から制止信号１０６ｂが入力され、ソレノイド１０７ｂが作動し、直ちに電磁弁１０７は、第２制動部１０３のシリンダー部１０３ａ，１０３ａ及び第３紙押え手段８の流体圧シリンダー８４に接続された管路１０８に対する圧力流体の流路を切り替える。
【００８８】
即ち、第２制動部１０３のシリンダー部１０３ａ，１０３ａにおいては、図示しない圧力流体供給源に連絡するように圧力流体の流路が切り替わり、第３紙押え手段８の流体圧シリンダー８４においては、シリンダー部に対する図示しない圧力流体供給源と排出口との連絡が逆転するように圧力流体の流路が切り替わる。
【００８９】
すると、シリンダー部１０３ａ，１０３ａに圧力流体が供給され、制動部材１０５、１０５に流体圧力が作用する。それによって、第２ブレーキディスク１０１の制動面から離れていた制動部材１０５、１０５が図示しない圧縮ばねの力に抗して第２ブレーキディスク１０１の制動面を両側から押え込み、第２ブレーキディスク１０１に制動を加え、第２ブレーキディスク１０１の回転を制止し、第３ドラッグローラー４２は完全に停止し固定される。
【００９０】
更に、第３紙押え手段８の流体圧シリンダー８４のシリンダー部には、圧力流体が一方に供給されると共に、他方から排出される。それにより流体圧シリンダー８４のピストン棒が退縮し、揺動腕８３が支持軸８５を支点として反時計回りに角変位する。その結果、紙押えローラー８１が第３ドラッグローラー４２の外周面にウェブ紙Ｗを押し付けた状態となる。
かくして、ウェブ紙Ｗは、移動が制止され動き得ないように保持される。
【００９１】
なお、実施の第２形態において、第３紙押え手段８の動作を、第２制動部１０３と連動させずに流体圧シリンダー８４への管路１０８を図示しない圧力流体の切替弁に接続させ、紙押えローラー８１を実施の第１形態と同じように、輪転機Ｐの運転又は停止に拘わらず第３ドラッグローラー４２の周面に常時接触させて用いることも可能である。
【００９２】
この発明の実施の第３形態（又は実施の第４形態）におけるウェブ紙保持装置１の作用を説明する。
ウェブ紙保持装置１においては、停止していた輪転機Ｐが運転状態に入ると、図６に示す第３制御部１１６（又は図７に示す第４制御部１２６）に輪転機制御装置から運転信号１１６ａ（又は運転信号１２６ａ）が入力され、ソレノイド１１７ａ（又はソレノイド１２７ａ）が作動し、直ちに電磁弁１１７（又は電磁弁１２７）は、第３制止手段１１０（又は第４制止手段１２０）における第３制動部１１３（又は第４制動部１２３）及び第３紙押え手段８における流体圧シリンダー８４に接続された管路１１８（又は管路１２８）に対する圧力流体の流路を切り替える。
【００９３】
即ち、第３制動部１１３（又は第４制動部１２３）のシリンダー部１１３ａ，１１３ａ（又はシリンダー部１２３ａ，１２３ａ）においては、排出口に連絡するように圧力流体の流路が切り替わり、第３紙押え手段８の流体圧シリンダー８４においては、シリンダーの一方が図示しない圧力流体供給源に連絡し、他方が排出口に連絡するように圧力流体の流路が切り替わる。
【００９４】
すると、制動部材１１５、１１５（又は制動部材１２５、１２５）に作用していた流体圧力が解除され、それによって、第３ブレーキディスク１１１（又は第４ブレーキディスク１２１）に制動を掛けていた制動部材１１５、１１５（又は制動部材１２５、１２５）が、図示しない圧縮ばねの力で第３ブレーキディスク１１１（又は第４ブレーキディスク１２１）の制動面から離れると共に、シリンダー部１１３ａ，１１３ａ（又はシリンダー部１２３ａ，１２３ａ）から圧力流体が排出口に排出され、第３ブレーキディスク１１１（又は第４ブレーキディスク１２１）に対する制動が解除され、第１案内ローラー２（又は第２案内ローラー３）は回転可能となる。
【００９５】
更に、実施の第２形態の場合と同様にして、第３紙押え手段８の紙押えローラー８１が第１案内ローラー２（又は第２案内ローラー３）の周面上のウェブ紙Ｗを離し、ウェブ紙Ｗは走行可能となる。
そして、輪転機Ｐの運転と共に印刷胴Ｔ、Ｔ、・・・（図９参照）の回転に同調して、ドラッグローラー装置により走行される印刷されたウェブ紙Ｗ、・・・は、第１案内ローラー２及び第２案内ローラー３により所定の経路に従って折部Ｒに向って送り出されて走行する。
【００９６】
輪転機Ｐが正常に運転を終えて停止したり、印刷中に俄に紙切れを起したりすると、第３制御部１１６（又は第４制御部１２６）に輪転機制御装置から制止信号１１６ｂ（又は制止信号１２６ｂ）が入力され、ソレノイド１１７ｂ（又はソレノイド１２７ｂ）が作動し、直ちに電磁弁１１７（又は電磁弁１２７）は、第３制動部１１３（又は第４制動部１２３）のシリンダー部１１３ａ，１１３ａ（又はシリンダー部１２３ａ，１２３ａ）及び第３紙押え手段８の流体圧シリンダー８４に接続された管路１１８（又は管路１２８）に対する圧力流体の流路を切り替える。
【００９７】
即ち、第３制動部１１３（又は第４制動部１２３）のシリンダー部１１３ａ，１１３ａ（又はシリンダー部１２３ａ，１２３ａ）においては、図示しない圧力流体供給源に連絡するように圧力流体の流路が切り替わり、第３紙押え手段８の流体圧シリンダー８４においては、シリンダー部に対する図示しない圧力流体供給源と排出口との連絡が逆転するように圧力流体の流路が切り替わる。
【００９８】
すると、第３制動部１１３（又は第４制動部１２３）のシリンダー部１１３ａ，１１３ａ（シリンダー部１２３ａ，１２３ａ）には圧力流体が供給され、制動部材１１５、１１５（又は制動部材１２５、１２５）に流体圧力が作用する。それによって、第３ブレーキディスク１１１（又は第４ブレーキディスク１２１）から離れていた制動部材１１５、１１５（又は制動部材１２５、１２５）が図示しない圧縮ばねの力に抗して第３ブレーキディスク１１１（又は第４ブレーキディスク１２１）の制動面を両側から押え込み、第３ブレーキディスク１１１（又は第４ブレーキディスク１２１）に制動を加え、第３ブレーキディスク１１１（又は第４ブレーキディスク１２１）の回転を制止し、第１案内ローラー２（又は第２案内ローラー３）は完全に停止し固定される。
【００９９】
更に、実施の第２形態の場合と同様にして、第３紙押え手段８の紙押えローラー８１が固定された第１案内ローラー２（又は第２案内ローラー３）の外周面にウェブ紙Ｗを押し付けた状態となる。
かくして、ウェブ紙Ｗは、移動が制止され動き得ないように保持される。
【０１００】
上記の実施の各形態における制動部は、流体圧の作動による形式であるが、電磁手段を用い、それを制御して、その電磁力の作動により制動部材をブレーキディスクに対し押し付けたり離したりする形式を用いてもよい。
【０１０１】
【発明の効果】
この発明の輪転機のウェブ紙保持装置によれば、輪転機が正常に運転を終えて停止しているとき、ウェブ紙の自重やフローティングローラーの復帰移動等によって、ウェブ紙を引き戻そうとする力がウェブ紙に作用しても、ドラッグローラーが回転しないように制止できるので、折胴に達しているウェブ紙が、折胴に対してずれなくなる。
したがって、再起動時に折胴周辺での紙詰りが皆無となり、手作業が不要となって、輪転機の運転立上げが容易となる。
【０１０２】
また、輪転機の予期せぬトラブルによって印刷中に紙切れを起こしたとき、同様にウェブ紙の自重やフローティングローラーの復帰移動等によって、ウェブ紙を引き戻そうとする力がウェブ紙に作用しても、ウェブ紙を案内する案内ローラーの周面上を紙押えローラーによって押さえ且つ案内ローラーを停止できるので、案内ローラーからずれ落ちようとするウェブ紙を制止し案内ローラーの周面上で保持できる。したがって、輪転機の運転立上げに際し、直ちに紙通しが再開でき、印刷作業時問ロスの短縮が図れる。
【０１０３】
更にまた、輪転機の運転及び停止が、一般印刷に比較して頻繁に行われる新聞印刷では、ウェブ紙の引き戻しがなくなることによって、前記折胴周辺での紙詰りが解消し、損紙を低減させ得るので、省資源化を図れると共に生産性の向上を図ることができる。
加えて、前記折胴周辺での紙詰りによる当該周辺の機械部品の損傷が皆無となり、輪転機の保守点検作業が軽減される。
【図面の簡単な説明】
【図１】この発明の実施の第１形態におけるウェブ紙保持装置の部分断面正面図である。
【図２】この発明の実施の第１形態におけるウェブ紙保持装置が適用される第１ドラッグローラー装置の構成図である。
【図３】この発明の実施の第１形態におけるウェブ紙保持装置の部分断面側面図である。
【図４】この発明の実施の第２形態におけるウェブ紙保持装置の部分断面正面図である。
【図５】この発明の実施の第２形態におけるウェブ紙保持装置の部分断面側面図である。
【図６】この発明の実施の第３形態におけるウェブ紙保持装置の部分断面正面図である。
【図７】この発明の実施の第４形態におけるウェブ紙保持装置の部分断面正面図である。
【図８】この発明の実施の第３，４形態におけるウェブ紙保持装置の部分断面側面図である。
【図９】この発明の実施の形態におけるウェブ紙保持装置が適用される新聞用シャフトレスオフセット輪転機の全体を示す概略説明図である。
【図１０】図９に示す新聞用シャフトレスオフセット輪転機の折部をフォーマーの正面側から見た概略説明図である。
【符号の説明】
１      ウェブ紙保持装置
２      第１案内ローラー
３      第２案内ローラー
２１、３１    ローラー本体
２２、３２    軸
２２ａ、３２ａ  軸端部
２３、３３    軸受
２４    ハウジング
３４    支持部材
４      第１ドラッグローラー装置
４ａ    第２ドラッグローラー装置
４０    第１ドラッグローラー
４１    第２ドラッグローラー
４２    第３ドラッグローラー
４０ａ、４１ａ、４２ａ  軸
４０ｂ、４１ｂ、４２ｂ  軸端部
４３、４３ａ、４４  軸受
４５、４５ａ、４５ｂ、４６ａ  歯付きプーリー
４６    モーター
４７、４７ａ  歯付きベルト
４８    ガイドプーリー
４９    ブラケット
５    第１紙押え手段
６    第２紙押え手段
８    第３紙押え手段
６１、６１ａ、７１、７１ａ、８１  紙押えローラー
６２、６２ａ、６７、６７ａ、６９、６９ａ、７２、
７２ａ、７７、７７ａ、７９、７９ａ、８２、８７、８９  ピン
６３、６４、７３、７４、８３  揺動腕
６３ａ、６４ａ、７３ａ、７４ａ、８３ａ  ローラー腕
６３ｂ、６４ｂ、７３ｂ、７４ｂ、８３ｂ  シリンダー腕
６５、６５ａ、７５、７５ａ、８５  支持軸
６６、６６ａ、７６、８６  ブラケット
６８、６８ａ、７８、７８ａ、８８  ピストン棒先端部
７０、７０ａ、８０、８０ａ、８４  流体圧シリンダー
９      第１制止手段
１００  第２制止手段
１１０  第３制止手段
１２０  第４制止手段
９１    第１ブレーキディスク
１０１  第２ブレーキディスク
１１１  第３ブレーキディスク
１２１  第４ブレーキディスク
９３    第１制動部
１０３  第２制動部
１１３  第３制動部
１２３  第４制動部
９３ａ、１０３ａ、１１３ａ、１２３ａ  シリンダー部
９４、１０４、１１４、１２４  ブラケット
９５、１０５、１１５、１２５  制動部材
９６    第１制御部
１０６  第２制御部
１１６  第３制御部
１２６  第４制御部
９６ａ、１０６ａ、１１６ａ、１２６ａ  運転信号
９６ｂ、１０６ｂ、１１６ｂ、１２６ｂ  制止信号
９７、１０７、１１７、１２７  電磁弁
９７ａ、９７ｂ、１０７ａ、１０７ｂ、
１１７ａ、１１７ｂ、１２７ａ、１２７ｂ  ソレノイド
９８、１０８、１１８、１２８  管路
Ｆ  フレーム
Ｆ１、Ｆ２、Ｆ３  ステー
Ｐ  輪転機
Ｑ  印刷部
Ｒ  折部
Ｓ  フォーマー
Ｔ  印刷胴
Ｕ  折胴
Ｕ１  針
Ｗ  ウェブ紙
【図１】
0003539565.tif 000002
【図２】
0003539565.tif 000003
【図３】
0003539565.tif 000004
【図４】
0003539565.tif 000005
【図５】
0003539565.tif 000006
【図６】
0003539565.tif 000007
【図７】
0003539565.tif 000008
【図８】
0003539565.tif 000009
【図９】
0003539565.tif 000010
【図１０】
0003539565.tif 000011